(57)【要約】【課題】機器固定構造において、組立性を低下しづらくする。【解決手段】機器固定構造Ｓは、後面１２の下端に幅方向において延在して設けられた当て部１６を有する電子機器１と、電子機器１を固定する台座２と、を備え、台座２は、電子機器１が載置される載置部２１と、電子機器１が載置部２１に沿ってスライドされた後に当て部１６と接することにより電子機器１を固定する受け部２２と、を有する。また、当て部１６は、電子機器１の前方から後方に向かうにつれて電子機器１の上方から下方に向かう第１斜面１６１を有し、受け部２２は、電子機器１が載置部２１に沿ってスライドされた後に第１斜面１６１と接する第２斜面２２１を有する。【選択図】図１
2020145378.tif 000002
【特許請求の範囲】
【請求項１】
後面の下端に幅方向において延在して設けられた当て部を有する電子機器と、
前記電子機器を固定する台座と、
を備え、
前記台座は、
前記電子機器が載置される載置部と、
前記電子機器が前記載置部に沿ってスライドされた後に前記当て部と接することにより前記電子機器を固定する受け部と、
を有することを特徴とする機器固定構造。
【請求項２】
前記当て部は、前記電子機器の前方から後方に向かうにつれて前記電子機器の上方から下方に向かう第１斜面を有し、
前記受け部は、前記電子機器が前記載置部に沿ってスライドされた後に前記第１斜面と接する第２斜面を有することを特徴とする、
請求項１に記載の機器固定構造。
【請求項３】
前記電子機器は、前記電子機器の前面に設けられており、前記電子機器の側面に対して突出した第１固定部をさらに有し、
前記台座は、前記電子機器が前記載置部に沿ってスライドされた後に前記第１固定部と接する第２固定部をさらに有することを特徴とする、
請求項１又は２に記載の機器固定構造。
【発明の詳細な説明】
【技術分野】
【０００１】
本発明は、機器固定構造に関する。
【背景技術】
【０００２】
従来、筐体又は固定台にガイドピンが設けられており、筐体を固定台に対して位置決めし、筐体リアパネル側を固定台に固定する機器固定構造が用いられている。特許文献１には、電子部品を収納した筐体を格納する筐体収容ラックにおいて、筐体を載置するためのトレイの筐体載置面の四隅に、筐体の下部に嵌合して水平面内における筐体の位置ずれを防止するための筐体係止部が、トレイに一体的に固着して取り付けられている構造が開示されている。
【先行技術文献】
【特許文献】
【０００３】
【特許文献１】特開２００９−９９７４６号公報
【発明の概要】
【発明が解決しようとする課題】
【０００４】
筐体又は固定台にガイドピンが設けられており、筐体を固定台に対して位置決めし、筐体リアパネル側を固定台に固定する機器固定構造が用いられている場合、機器固定構造に対する振動及び衝撃荷重によってガイドピンが徐々に痩せてしまいガタつきが大きくなってしまうという問題が生じていた。また、この場合、筐体を固定台に対して位置決めし、固定する組立時に、ガイドピンと受け部の位置決めを行うのに手間がかかったり、ガイドピンを受け部に挿入時にガイドピンが受け部にスムーズに入らなかったりすることで、組立性が低下してしまうという問題が生じていた。
【０００５】
そこで、本発明はこれらの点に鑑みてなされたものであり、組立性が低下しづらい機器固定構造を提供することを目的とする。
【課題を解決するための手段】
【０００６】
本発明の第１の態様においては、後面の下端に幅方向において延在して設けられた当て部を有する電子機器と、前記電子機器を固定する台座と、を備え、前記台座は、前記電子機器が載置される載置部と、前記電子機器が前記載置部に沿ってスライドされた後に前記当て部と接することにより前記電子機器を固定する受け部と、を有することを特徴とする機器固定構造を提供する。
【０００７】
また、前記当て部は、前記電子機器の前方から後方に向かうにつれて前記電子機器の上方から下方に向かう第１斜面を有し、前記受け部は、前記電子機器が前記載置部に沿ってスライドされた後に前記第１斜面と接する第２斜面を有していてもよい。
【０００８】
また、前記電子機器は、前記電子機器の前面に設けられており、前記電子機器の側面に対して突出した第１固定部をさらに有し、前記台座は、前記電子機器が前記載置部に沿ってスライドされた後に前記第１固定部と接する第２固定部をさらに有していてもよい。
【発明の効果】
【０００９】
本発明によれば、機器固定構造において、組立性が低下しづらくなるという効果を奏する。
【図面の簡単な説明】
【００１０】
【図１】本実施形態に係る機器固定構造の構造を示す。
【図２】電子機器の構造を示す。
【図３】台座の構造を示す。
【図４】当て部及び受け部付近の構造を示す。
【図５】電子機器の台座に対する固定方法を示す。
【発明を実施するための形態】
【００１１】
［機器固定構造Ｓの概要］
図１は、本実施形態に係る機器固定構造Ｓの構造を示す図である。図２は、電子機器１の構造を示す図である。図３は、台座２の構造を示す図である。
【００１２】
機器固定構造Ｓは、電子機器１を台座２に固定している構造である。機器固定構造Ｓは、電子機器１、及び台座２を有する。電子機器１は、前面１１、後面１２、右側面１３、左側面１４、底面１５、当て部１６、及び第１固定部１７を有する。前面１１は、電子機器１の前方側の面を形成する領域である。後面１２は、電子機器１の後方側の面を形成する領域である。後面１２は、前面１１と平行である。
【００１３】
右側面１３は、電子機器１の幅方向における右側の面を形成する領域である。右側面１３は、前面１１及び後面１２と直交している。左側面１４は、電子機器１の幅方向における左側の面を形成する領域である。左側面１４は、前面１１及び後面１２と直交している。底面１５は、電子機器１の底を形成する領域である。底面１５は、前面１１、後面１２、右側面１３、及び左側面１４と直交している。
【００１４】
当て部１６は、電子機器１を台座２に固定するための部位である。当て部１６は、後面１２の下端に幅方向において延在して設けられている。当て部１６の電子機器１の幅方向における長さは、例えば、後面１２の電子機器１の幅方向における長さと同じである。当て部１６の詳細は後述する。
【００１５】
第１固定部１７は、電子機器１を台座２に固定するための部位である。第１固定部１７は、電子機器１の前面１１に設けられており、電子機器１の側面に対して突出している。電子機器１には、第１固定部１７として、第１右固定部１７１、及び第１左固定部１７２が設けられている。第１右固定部１７１は、電子機器１の前面１１に設けられており、電子機器１の右側面１３に対して突出している。第１左固定部１７２は、電子機器１の前面１１に設けられており、電子機器１の左側面１４に対して突出している。
【００１６】
第１固定部１７には、例えば複数の穴が形成されている。当該穴は、第１固定部１７を第２固定部２３に固定するためのねじが挿入される穴である。なお、第２固定部２３については、後述する。
【００１７】
台座２は、電子機器１を固定する。台座２は、例えば電子機器１が収納されるラックの一部である。台座２は、載置部２１、受け部２２、及び第２固定部２３を有する。載置部２１は、電子機器１が載置される部位である。載置部２１は、例えば平板形状である。
【００１８】
受け部２２は、電子機器１を台座２に固定するための部位である。受け部２２は、電子機器１が載置部２１に沿ってスライドされた後に当て部１６と接することにより電子機器１を固定する。受け部２２は、台座２の載置部２１の上面における後端に設けられている。受け部２２は、台座２の幅方向において延在している。受け部２２の台座２の幅方向における長さは、例えば、載置部２１の台座２の幅方向における長さと同じである。また、受け部２２の台座２の幅方向における長さは、例えば、当て部１６の電子機器１の幅方向における長さと同じである。受け部２２の詳細は後述する。
【００１９】
第２固定部２３は、電子機器１を台座２に固定するための部位である。第２固定部２３は、電子機器１が載置部２１に沿ってスライドされた後に第１固定部１７と接する。第２固定部２３は、載置部２１の幅方向における側面の前端に設けられている。第２固定部２３は、載置部２１の延在している向きと直交する向きにおいて延伸している。第２固定部２３は、例えばラックマウント用の柱部材である。
【００２０】
台座２には、第２固定部２３として、第２右固定部２３１、及び第２左固定部２３２が設けられている。第２右固定部２３１は、載置部２１の幅方向における右側面の前端に設けられており、電子機器１が載置部２１に沿ってスライドされた後に第１右固定部１７１の後面と接する。第２左固定部２３２は、載置部２１の幅方向における左側面の前端に設けられており、電子機器１が載置部２１に沿ってスライドされた後に第１左固定部１７２の後面と接する。
【００２１】
第２固定部２３には、例えば複数の穴が形成されている。当該穴は、第１固定部１７を第２固定部２３に固定するためのねじが挿入される穴である。第１固定部１７は、第１固定部１７に形成されている穴と、第２固定部２３に形成されている穴とに、当該ねじを挿入して締め付けることで、第２固定部２３に固定されている。
【００２２】
機器固定構造Ｓは、このように電子機器１と台座２とを有する。そして、電子機器１は、後面１２の下端に幅方向において延在して設けられた当て部１６を有する。また、台座２は、電子機器１が載置される載置部２１と、電子機器１が載置部２１に沿ってスライドされた後に当て部１６と接することにより電子機器１を固定する受け部２２と、を有する。
【００２３】
よって、機器固定構造Ｓにおいては、このような構造を有することで、電子機器１が台座２に固定された状態において、当て部１６と受け部２２の接触面積を大きくすることができる。この結果、機器固定構造Ｓにおいては、振動及び衝撃荷重によって当て部１６及び受け部２２が変形しづらくなる。また、機器固定構造Ｓにおいては、このような構造を有することで、高重量の電子機器１を支持することが可能になる。
【００２４】
また、機器固定構造Ｓにおいては、このような構造を有することで、電子機器１を台座２の載置部２１に沿って前方から後方に向かってスライドさせて、当て部１６を受け部２２に接するようにすることで、電子機器１を台座２に固定することができる。この結果、機器固定構造Ｓにおいては、電子機器１を台座２に対して位置決めする手間がかかりづらくなり、組立て性が低下しづらくなる。
【００２５】
［当て部１６及び受け部２２の構造］
図４は、当て部１６及び受け部２２付近の構造を示す図である。
当て部１６の前方側の端部は、電子機器１の後面１２における下端に固定されている。当て部１６の下面は、載置部２１の上面に接している。当て部１６の少なくとも一部は、電子機器１を台座２に収納する向きにスライドすることで、受け部２２の少なくとも一部の外側面と載置部２１の上面との間に形成されている空間に挿入される。電子機器１が台座２に固定された状態では、当該挿入されている当て部１６の少なくとも一部の外側面のうちの少なくとも一部の領域が、受け部２２の外側面における少なくとも一部の領域に接している。
【００２６】
当て部１６は、第１斜面１６１を有する。第１斜面１６１は、電子機器１の前方から後方に向かうにつれて電子機器１の上方から下方に向かう面である。すなわち、第１斜面１６１は、電子機器１の上方から下方に向かうにつれて電子機器１の後面１２から離れる面である。
【００２７】
受け部２２の下端は、載置部２１の上面に固定されている。受け部２２は、受け部２２の少なくとも一部の外側面と載置部２１の上面との間に、当て部１６が挿入される空間を形成している。電子機器１が台座２に固定された状態では、当該受け部２２の少なくとも一部の外側面のうちの少なくとも一部の領域が、当て部１６の外側面における少なくとも一部の領域に接している。
【００２８】
受け部２２は、第２斜面２２１を有する。第２斜面２２１は、電子機器１が載置部２１に沿ってスライドされた後に第１斜面１６１と接する面である。第２斜面２２１は、台座２の前方から後方に向かうにつれて台座２の上方から下方に向かう面である。すなわち、第２斜面２２１は、台座２の上方から下方に向かうにつれて台座２の後端に近づく面である。
【００２９】
機器固定構造Ｓにおいては、このように、当て部１６は第１斜面１６１を有し、受け部２２は電子機器１が載置部２１に沿ってスライドされた後に第１斜面１６１と接する第２斜面２２１を有する。すなわち、機器固定構造Ｓにおいては、当て部１６は先端に向かうにつれて高さ方向における厚みが小さくなっており、受け部２２は、奥に向かうにつれて、受け部２２の少なくとも一部の外側面と載置部２１の上面との間に形成されている空間の高さが小さくなっている。
【００３０】
よって、機器固定構造Ｓにおいては、電子機器１が載置部２１に沿ってスライドされた後に当て部１６を受け部２２と載置部２１との間に挿入し易く、電子機器１の台座２に対する位置を確定し易い。また、機器固定構造Ｓにおいては、このように、当て部１６が第１斜面１６１を有し、受け部２２が第２斜面２２１を有することで、当て部１６と受け部２２の接触面積を大きくすることができる。
【００３１】
また、機器固定構造Ｓにおいては、前述したように、電子機器１は、電子機器１の前面１１に設けられており、電子機器１の側面に対して突出した第１固定部１７を有し、台座２は、電子機器１が載置部２１に沿ってスライドされた後に第１固定部１７と接する第２固定部２３を有する。よって、機器固定構造Ｓにおいては、電子機器１を台座２に強固に固定することができる。
【００３２】
［電子機器１の台座２に対する固定方法］
図５は、電子機器１の台座２に対する固定方法を示す図である。図５（ａ）は、電子機器１と台座２が分離された状態を示す図である。図５（ｂ）は、電子機器１が台座２に固定された状態を示す図である。
【００３３】
まず、ユーザは、電子機器１を台座２の載置部２１に載置した状態で、電子機器１を前方から後方に向かってスライドさせる（図５（ａ））。そして、ユーザは、電子機器１を載置部２１に載置した状態で、電子機器１を前方から後方に向かってスライドさせることで、電子機器１の当て部１６の第１斜面１６１を台座２の受け部２２の第２斜面２２１に接するようにする。このとき、電子機器１の前面１１に設けられている第１固定部１７は、台座２に設けられている第２固定部２３に接する。
【００３４】
そして、ユーザは、電子機器１の前面１１に設けられている第１固定部１７を台座２に設けられている第２固定部２３に固定する（図５（ｂ））。具体的には、ユーザは、第１固定部１７を第１固定部１７に形成されている穴と、第２固定部２３に形成されている穴とに、ねじを挿入して締め付けることで、第２固定部２３に固定する。このようにして、ユーザは、電子機器１を台座２に固定することができる。
【００３５】
［変形例］
上記実施形態においては、当て部１６が第１斜面１６１を有し、受け部２２は、第１斜面１６１と接する第２斜面２２１を有する構造を示したが、これに限定されない。当て部１６は、水平方向において延在している第１上面を有し、受け部２２は、当該第１上面と接する、水平方向において延在している第２上面を有する構造であってもよい。
【００３６】
［本実施形態に係る機器固定構造Ｓによる効果］
本実施形態に係る機器固定構造Ｓは、後面１２の下端に幅方向において延在して設けられた当て部１６を有する電子機器１と、電子機器１を固定する台座２と、を備える。そして、台座２は、電子機器１が載置される載置部２１と、電子機器１が載置部２１に沿ってスライドされた後に当て部１６と接することにより電子機器１を固定する受け部２２と、を有する。
【００３７】
本実施形態に係る機器固定構造Ｓは、このように電子機器１と台座２とを有する。そして、電子機器１は、後面１２の下端に幅方向において延在して設けられた当て部１６を有する。また、台座２は、電子機器１が載置される載置部２１と、電子機器１が載置部２１に沿ってスライドされた後に当て部１６と接することにより電子機器１を固定する受け部２２と、を有する。
【００３８】
よって、機器固定構造Ｓにおいては、このような構造を有することで、電子機器１を台座２の載置部２１に沿って前方から後方に向かってスライドさせて、当て部１６を受け部２２に接するようにすることで、電子機器１を台座２に固定することができる。この結果、機器固定構造Ｓにおいては、電子機器１を台座２に対して位置決めする手間がかかりづらくなり、組立て性が低下しづらくなる。
【００３９】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００４０】
Ｓ・・・機器固定構造
１・・・電子機器
１１・・・前面
１２・・・後面
１３・・・右側面
１４・・・左側面
１５・・・底面
１６・・・当て部
１６１・・・第１斜面
１７・・・第１固定部
１７１・・・第１右固定部
１７２・・・第１左固定部
２・・・台座
２１・・・載置部
２２・・・受け部
２２１・・・第２斜面
２３・・・第２固定部
２３１・・・第２右固定部
２３２・・・第２左固定部
【図１】
2020145378.tif 000003
【図２】
2020145378.tif 000004
【図３】
2020145378.tif 000005
【図４】
2020145378.tif 000006
【図５】
2020145378.tif 000007